(57)【要約】【課題】本体ケースの側面板に穴を開けても、本体ケースの強度を保ちつつ、容易にキッチンカウンタに固定できる加熱調理器を提供する。【解決手段】固定具ユニット５０は、一面側に開口部を有し、開口部が本体ケースの外側に向くように取付穴に嵌め込まれて固定された固定ベース５１と、一端部側にネジ穴５２ｂを有し、固定ベース５１内に出し入れ自在に収容される固定レバー５２と、固定レバー５２のネジ穴５２ｂにネジ込んだ状態で固定ベース５１の上面板５１ａ及び下面板５１ｄに回動自在にかつ上下動が抑止されように設けられたネジ５３ａを有し、ネジ５３ａを回して固定レバー５２を上昇させ、固定レバー５２と本体ケースのフランジ部とでキッチンカウンタを狭持するレバー可動部５３とを備えた。【選択図】図４
2016118324.tif 000002
【特許請求の範囲】
【請求項１】
上部が開口され、前後左右の側面板の何れか１つあるいは複数の側面板に取付穴を有する本体ケースと、
前記本体ケースの開口を覆うトッププレートと、
前記本体ケース内に設けられた加熱手段と、
前記取付穴に嵌め込まれて固定され、キッチンカウンタの開口部に嵌め込まれた前記本体ケースのフランジ部とで当該キッチンカウンタを狭持する固定具ユニットとを有し、
前記固定具ユニットは、
一面側に開口部を有し、当該開口部が前記本体ケースの外側に向くように前記取付穴に嵌め込まれて固定された固定ベースと、
一端部側にネジ穴を有し、前記固定ベース内に出し入れ自在に収容される固定レバーと、
前記固定レバーのネジ穴にネジ込んだ状態で前記固定ベースの上面板及び下面板に回動自在に、かつ上下動が抑止されように設けられたネジを有し、当該ネジを回して前記固定レバーを上昇させ、当該固定レバーと前記本体ケースのフランジ部とで前記キッチンカウンタを狭持するレバー可動部と
を備えたことを特徴とする加熱調理器。
【請求項２】
前記固定ベースは、前記開口部の周縁に四方に延びるフランジ部を有し、その内の下方に延びるフランジ部が前記本体ケースの内側から前記取付穴に挿入されて、残りのフランジ部により前記本体ケースの側面板に固定されていることを特徴とする請求項１記載の加熱調理器。
【請求項３】
前記固定ベースは、前記開口部の周縁に四方に延びるフランジ部を有し、前記取付穴に前記本体ケースの外側から嵌め込まれて、前記フランジ部が前記本体ケースの側面板に固定されていることを特徴とする請求項１記載の加熱調理器。
【発明の詳細な説明】
【技術分野】
【０００１】
本発明は、キッチンカウンタの開口部に嵌め込まれた本体ケースのフランジ部とでキッチンカウンタを狭持する固定具ユニットを備えた加熱調理器に関するものである。
【背景技術】
【０００２】
従来の加熱調理器として、本体ケースの側面下方よりに設けた切欠部と、切欠部の側面に設けた穴と、この穴に回動自在に係合され、かつ切欠部内に収納された固定金具と、固定金具を固定する締結手段とを備え、加熱調理器をキッチンカウンタに組み込んだ後、締結手段により固定金具を係合手段を支点として回動させ、加熱調理器をキッチンカウンタに固定するものがある（例えば、特許文献１参照）。
【先行技術文献】
【特許文献】
【０００３】
【特許文献１】特開２００５−２２６８５４号公報
【発明の概要】
【発明が解決しようとする課題】
【０００４】
前述の切欠部は、本体ケースの側面板から底面板にかけて本体ケースの内側に凹んで構成されている。この切欠部を構成するには、本体ケースの側面板から底面板にかけて穴を開け、その穴を塞ぐベース部品が必要であった。このような構成では、本体ケースの側面板から底面板にかけて開けた穴は、本体ケースの強度を低下させ、ベース部品は、本体ケースの側面板から底面板と２面の穴を塞ぐ構成となるため、形状が複雑になっていた。
【０００５】
本発明は、前述のような課題を解決するためになされたもので、本体ケースの側面板に穴を開けても、本体ケースの強度を保ちつつ、容易にキッチンカウンタに固定できる加熱調理器を提供することを目的とする。
【課題を解決するための手段】
【０００６】
本発明に係る加熱調理器は、上部が開口され、前後左右の側面板の何れか１つあるいは複数の側面板に取付穴を有する本体ケースと、本体ケースの開口を覆うトッププレートと、本体ケース内に設けられた加熱手段と、取付穴に嵌め込まれて固定され、キッチンカウンタの開口部に嵌め込まれた本体ケースのフランジ部とでキッチンカウンタを狭持する固定具ユニットとを有し、固定具ユニットは、一面側に開口部を有し、開口部が本体ケースの外側に向くように取付穴に嵌め込まれて固定された固定ベースと、一端部側にネジ穴を有し、固定ベース内に出し入れ自在に収容される固定レバーと、固定レバーのネジ穴にネジ込んだ状態で固定ベースの上面板及び下面板に回動自在に、かつ上下動が抑止されように設けられたネジを有し、当該ネジを回して固定レバーを上昇させ、固定レバーと本体ケースのフランジ部とでキッチンカウンタを狭持するレバー可動部とを備えたものである。
【発明の効果】
【０００７】
本発明によれば、固定ベースの開口部が本体ケースの外側に向くように固定ベースが取付穴に嵌め込まれて固定されているので、本体ケースの側面板に穴（取付穴）を開けても固定ベースにより補強され、本体ケースそのものの強度を保つことができる。また、固定ベースが一面側に開口部を有する例えば箱形状であるため、形状がシンプルになっている。
さらに、固定具ユニットは、固定ベースの上面板及び下面板に回動自在に、かつ上下動が抑止されように設けられたレバー可動部のネジを回すだけで固定レバーが上昇し、固定レバーと本体ケースのフランジ部とでキッチンカウンタを狭持する構成であるため、加熱調理器を容易にキッチンカウンタに固定することができる。
【図面の簡単な説明】
【０００８】
【図１】本発明の実施の形態１に係る加熱調理器の外観斜視図。
【図２】図１に示す加熱調理器の側面図。
【図３】図１に示す加熱調理器の本体ケースの斜視図。
【図４】図３の固定具ユニットを拡大して示す斜視図。
【図５】図４と同一の固定具ユニットを示す斜視図。
【図６】図２に示す本体ケースの側面部の取付穴に設けられた固定具ユニットの正面図。
【図７】図１の加熱調理器をキッチンカウンタに嵌め込んだ状態を示す部品を除く加熱調理器の正面断面図。
【図８】図７の加熱調理器をキッチンカウンタに固定した状態を示す正面断面図。
【図９】本発明の実施の形態２に係る加熱調理器の外観斜視図。
【図１０】図９に示す加熱調理器の本体ケースの斜視図。
【発明を実施するための形態】
【０００９】
実施の形態１．
図１は本発明の実施の形態１に係る加熱調理器の外観斜視図、図２は図１に示す加熱調理器の側面図、図３は図１に示す加熱調理器の本体ケースの斜視図である。
実施の形態１における加熱調理器は、図１に示すように、本体ケース１０、トッププレート２０、トッププレート２０の前面部に配置された操作部３０、本体ケース１０内に設置された誘導加熱コイル等を備えている。
【００１０】
本体ケース１０は、図３に示すように、上部が開口された直方体状に形成されている。加熱調理器の操作部３０側から見て、本体ケース１０の前後の側面板１１、１４と左右方向の側面板１２、１３の各上端には、外側に折り曲げられたフランジ部１１ａ、１２ａ、１３ａ、１４ａが設けられている。また、本体ケース１０の左右の側面板１２、１３には、各側面板１２、１３に開けられた取付穴１５に固定具ユニット５０が嵌め込まれて固定されている。取付穴１５は、図２に示すように、各側面板１２、１３を貫通して形成された四辺形状の穴で、加熱調理器の操作部３０側から見て、本体ケース１０の側面板１２、１３の手前側の位置に、互いに対向して設けられている。本体ケース１０の底面板１６には、後述するが、ドライバーのビットが挿入される穴１６が設けられている。
【００１１】
トッププレート２０は、四辺形状に形成された耐熱強化ガラスよりなり、外周に額縁状のフレーム４０が装着された状態で本体ケース１０の開口を覆うように取り付けられている。トッププレート２０の上面には、鍋等の調理容器６０の載置位置を示す円形状の加熱部２１、２２、２３が表示されている。各加熱部２１、２２、２３の下方には、それぞれ誘導加熱コイルが配置されている。
【００１２】
なお、実施の形態１の加熱調理器においては、トッププレート２０の奥に表示された加熱部２３の加熱源として、誘導加熱コイルを用いているが、これに代えて、ラジエントヒーターを使用してもよい。また、３つの加熱部２１、２２、２３としているが、加熱部の個数は、２つ、あるいは４つの何れでも良い。
【００１３】
操作部３０は、トッププレート２０の前面部に設けられ、電源の入り切り、各誘導加熱コイルの各電力（火力）の設定、湯沸かし制御の指示、調理温度の設定等を行う各種のキースイッチ３１が設けられている。また、トッププレート２０の前面部には、電力の設定に基づいて火力を表示する火力表示部３２が加熱部２１、２２、２３に対応して設けられている。フレーム４０の前面部には、キースイッチ３１の操作に応じて動作する加熱調理器の調理状態を表示する表示部３３が設けられている。また、フレーム４０の後部には、吸排気カバー４１が設けられている。
【００１４】
次に、前述した固定具ユニット５０の構成について、図４〜図８を用いて説明する。
図４は図３の固定具ユニットを拡大して示す斜視図、図５は図４と同一の固定具ユニットを示す斜視図、図６は図２に示す本体ケースの側面部の取付穴に設けられた固定具ユニットの正面図である。図７は図１の加熱調理器をキッチンカウンタに嵌め込んだ状態を示す加熱調理器（内部の部品を省略）の正面断面図、図８は図７の加熱調理器をキッチンカウンタに固定した状態を示す正面断面図である。
【００１５】
実施の形態１における固定具ユニット５０は、図３に示すように、本体ケース１０の左右の側面板１２、１３に設けられた取付穴１５に、本体ケース１０の内側から嵌め込まれる。この固定具ユニット５０は、後述するが、本体ケース１０のフランジ部１２ａ、１３ａとでキッチンカウンターを挟み込んで固定する固定金具である。固定具ユニット５０は、図４及び図５に示すように、本体ケース１０の取付穴１５に嵌め込む際に、その取付穴１５と対向する側に開口部が設けられた箱形状の固定ベース５１と、固定レバー５２と、固定レバー５２を上下動させるレバー可動部５３とで構成されている。
【００１６】
固定ベース５１は、例えば、十字形状に形成された板金の四方に延びる４つの金属板５１ａ、５１ｂ、５１ｃ、５１ｄを互いに対向するように直角に折り曲げて箱形状に形成した後、その各金属板５１ａ、５１ｂ、５１ｃ、５１ｄの先端部側を外方へ直角に折り曲げて形成されている。外方へ直角に折り曲げられた各金属板５１ａ、５１ｂ、５１ｃ、５１ｄの先端部は、フランジ部５１ｅ、５１ｆ、５１ｇ、５１ｈを成している。
【００１７】
このフランジ部５１ｅ、５１ｆ、５１ｇ、５１ｈのうち、１つのフランジ部５１ｈは、他のフランジ部５１ｅ、５１ｆ、５１ｇよりも手前側に突出している。つまり、金属板５１ａ、５１ｂ、５１ｃ、５１ｄのうち、金属板５１ｄが他の金属板５１ａ、５１ｂ、５１ｃよりも長く形成されている。なお、これ以降、金属板５１ａを上面板５１ａ、金属板５１ｂ、５１ｃを側面板５１ｂ、５１ｃ、金属板５１ｄを下面板５１ｄという。その上面板５１ａ及び下面板５１ｄには、図７に示すように、軸心を同一とし、大きさが同じ貫通穴５１ｉ、５１ｊが設けられている。
【００１８】
固定レバー５２は、例えば、固定ベース５１の開口側から見て、固定ベース５１の開口部内に収まるように、左右方向に長い溝形状に形成されている。固定レバー５２の左端部には、上方に突出する円筒形状のネジ座５２ａが設けられている。この固定レバー５２及びネジ座５２ａには、軸心を同一として上下方向に雌ネジが切られたネジ穴５２ｂが設けられている。
【００１９】
レバー可動部５３は、外周面に雄ネジが切られた円柱形状のネジ５３ａと、このネジ５３ａの一端部に固定されたナット５３ｂと、ネジ５３ａの他端部に設けられたストッパ５３ｃ（図７参照）とで構成されている。このストッパ５３ｃは、固定ベース５１の下面板５１ｄに設けられた貫通穴５１ｊの径よりも大きく形成されている。また、ストッパ５３ｃの中央には、ブラスあるいはマイナスの溝が設けられている。
【００２０】
このレバー可動部５３は、ネジ５３ａの一端部から固定ベース５１の下面板５１ｄの貫通穴５１ｊを貫通し、固定レバー５２のネジ穴５２ｂにネジ込んだ後、固定ベース５１の上面板５１ａの貫通穴５１ｉを貫通して、その一端部がナット５３ｂにネジ込まれて構成されている。ナット５３ｂとナット５３ｂにネジ込まれたネジ５３ａの一端部は、接着剤等で固定されている。この状態において、例えばナット５３ｂを時計方向に回転させた場合、固定レバー５２は、図５に示すように、ネジ５３ａを中心としてナット５３ｂと同一方向に回転し、固定ベース５１の凹部内から露出する。
【００２１】
前記のように構成された固定具ユニット５０を、本体ケース１０の取付穴１５に取り付ける際、先ず、本体ケース１の内側から固定ベース５１のフランジ部５１ｈを取付穴１５に斜めから挿入する。次いで、固定ベース５１のフランジ部５１ｅ、５１ｆ、５１ｇを本体ケース１の側面板１２又は１３に当てて溶接し、固定具ユニット５０を本体ケース１の側面板１２又は１３に固定する。例えば、本体ケース１の側面板１２側から見た場合、図６に示すように、固定ベース５１のフランジ部５１ｈが取付穴１５から手前側に露出された状態となる。
【００２２】
次に、実施の形態１における加熱調理器をキッチンカウンタに取り付ける場合の動作について、図７及び図８を用いて説明する。
キッチンカウンタ７０に開けられた開口部７１に、加熱調理器の本体ケース１０から挿入して、本体ケース１０のフランジ部１１ａ、１２ａ、１３ａ、１４ａをキッチンカウンタ７０に係止させる。その後、本体ケース１０の底面板１６に設けられた穴１６からドライバー８０のビットを挿入し、ネジ５３ａのストッパ５３ｃに刻まれた溝に嵌め込む。そして、ドライバー８０を反時計方向に回してネジ５３ａを同一方向に回転させると、図７に示すように、固定レバー５２が固定ベース５１内から露出し、固定ベース５１のフランジ部５１ｂによって固定レバー５２の回転が抑止される。
【００２３】
その後、ドライバー８０をさらに同一方向に回してネジ５３ａを回転させていくと、固定レバー５２が上昇する。そして、図８に示すように、固定レバー５２をキッチンカウンタ７０に当接させて、その固定レバー５２と本体ケース１０のフランジ部１２ａ、１３ａとでキッチンカウンタ７０を狭持し、加熱調理器をキッチンカウンタ７０に固定する。
【００２４】
以上のように実施の形態１によれば、固定ベース５１の開口部が本体ケース１０の外側に向くように固定ベース５１が取付穴１５に嵌め込まれて固定されているので、本体ケース１０の側面板１２、１３に取付穴１５を開けても固定ベース５１により補強され、本体ケース１０そのものの強度を保つことができる。また、固定ベース５１が一面に開口部を有する箱形状であるため、形状がシンプルになっている。
【００２５】
さらに、固定具ユニット５０は、固定ベース５１の上面板５１ａ及び下面板５１ｄに回動自在に、かつ上下動が抑止されように設けられたレバー可動部５３のネジ５３ａを、下面板５１ｄ側から反時計方向に回すだけで、固定レバー５２が上昇し、固定レバー５２と本体ケース１０のフランジ部１２ａ、１３ａとでキッチンカウンタを狭持する構成であるため、加熱調理器を容易にキッチンカウンタに固定することができる。
【００２６】
実施の形態２．
実施の形態１では、固定具ユニット５０を、本体ケース１０の側面板１２、１３に設けられた取付穴１５に、本体ケース１０の内側から嵌め込んで固定するようにしたが、実施の形態２は、固定具ユニット５０を本体ケース１０の側面板１２、１３の外側から取付穴１５に嵌め込んで固定するようにしたものである。
【００２７】
図９は本発明の実施の形態２に係る加熱調理器の外観斜視図、図１０は図９に示す加熱調理器の本体ケースの斜視図である。なお、実施の形態２においては、実施の形態１と同様あるいは相当部分には同じ符号を付している。
【００２８】
実施の形態２における固定具ユニット５０は、固定ベース５１のフランジ部５１ｅ、５１ｆ、５１ｇ、５１ｈが同一面に接触するように構成されている。つまり、図９に示すように、固定具ユニット５０を、本体ケース１０の側面板１２、１３に設けられた取付穴１５に嵌め込んだ際に、フランジ部５１ｅ、５１ｆ、５１ｇ、５１ｈが側面板１２、１３に接触するように構成されている。
【００２９】
この固定具ユニット５０は、図１０に示すように、本体ケース１０の側面板１２、１３の取付穴１５に、側面板１２、１３の外側から嵌め込まれる。そして、溶接により、固定ベース５１のフランジ部５１ｅ、５１ｆ、５１ｇ、５１ｈが側面板１２、１３に固定される。
【００３０】
加熱調理器のキッチンカウンタへの固定は、実施の形態１と同様である。つまり、キッチンカウンタ７０に開けられた開口部７１に、本体ケース１０から挿入して、本体ケース１０のフランジ部１１ａ、１２ａ、１３ａ、１４ａをキッチンカウンタ７０に係止させる。その後、本体ケース１０の底面板１７に設けられた穴１６からドライバー８０のビットを挿入し、ネジ５３ａのストッパ５３ｃに刻まれた溝に嵌め込む。そして、ドライバー８０を反時計方向に回してネジ５３ａを同一方向に回転させると、固定レバー５２が固定ベース５１内から露出し、固定ベース５１のフランジ部５１ｂによって固定レバー５２の回転が抑止される。
【００３１】
その後、ドライバー８０をさらに同一方向に回してネジ５３ａを回転させていくと、固定レバー５２が上昇する。そして、図８に示すように、固定レバー５２をキッチンカウンタ７０に当接させて、その固定レバー５２と本体ケース１０のフランジ部１２ａ、１３ａとでキッチンカウンタ７０を狭持し、加熱調理器をキッチンカウンタ７０に固定する。
【００３２】
以上のように実施の形態２によれば、固定ベース５１の開口部が本体ケース１０の外側に向くように固定ベース５１が取付穴１５に嵌め込まれて固定されているので、本体ケース１０の側面板１２、１３に取付穴１５を開けても固定ベース５１により補強され、本体ケース１０そのものの強度を保つことができる。また、固定ベース５１が一面に開口部を有する箱形状であるため、形状がシンプルになっている。
【００３３】
さらに、固定具ユニット５０は、固定ベース５１の上面板５１ａ及び下面板５１ｄに回動自在に、かつ上下動が抑止されように設けられたレバー可動部５３のネジ５３ａを、下面板５１ｄ側から反時計方向に回すだけで、固定レバー５２が上昇し、固定レバー５２と本体ケース１０のフランジ部１２ａ、１３ａとでキッチンカウンタを狭持する構成であるため、加熱調理器を容易にキッチンカウンタに固定することができる。
【００３４】
なお、実施の形態１、２では、本体ケース１０の左右の側面板１２、１３に固定具ユニット５０を設けたが、これに限定されることはない。例えば、本体ケース１０の手前側の側面板１１、奥の側面板１４、左右の側面板１２、１３の何れか１つに固定具ユニット５０を設けても良いし、本体ケース１０の手前側の側面板１１と奥の側面板１４とに固定具ユニット５０を設けても良い。また、本体ケース１０の手前側の側面板１１、奥の側面板１４、左右の側面板１２、１３に１つずつ設けても良い。
【符号の説明】
【００３５】
１０  本体ケース、１１、１２、１３、１４  側面板、１１ａ、１２ａ、１３ａ、１４ａ  フランジ部、１５  取付穴、１６  穴、１７  底面板、２０  トッププレート、２１、２２、２３  加熱部、３０  操作部、３１  キースイッチ、３２  火力表示部、３３  表示部、４０  フレーム、４１  吸排気カバー、５０  固定具ユニット、５１  固定ベース、５１ａ  上面板、５１ｂ、５１ｃ  側面板、５１ｄ  下面板、５１ｅ、５１ｆ、５１ｇ、５１ｈ  フランジ部、５１ｉ、５１ｊ  貫通穴、５２  固定レバー、５２ａ  ネジ座、５２ｂ  ネジ穴、５３  レバー可動部、５３ａ  ネジ、５３ｂ  ナット、５３ｃ  ストッパ、６０  調理容器、７０  キッチンカウンタ、７１  開口部、８０  ドライバー。
【図１】
2016118324.tif 000003
【図２】
2016118324.tif 000004
【図３】
2016118324.tif 000005
【図４】
2016118324.tif 000006
【図５】
2016118324.tif 000007
【図６】
2016118324.tif 000008
【図７】
2016118324.tif 000009
【図８】
2016118324.tif 000010
【図９】
2016118324.tif 000011
【図１０】
2016118324.tif 000012